(57)【特許請求の範囲】
【請求項１】
外装容器内に収装され、内部にボトルを挿抜自在に挿通保持したボトルホルダを備えたボトルホルダ内蔵容器において、
上記ボトルホルダのボトル収納用筒部に複数のスリットを開口し、これらスリット間を繋ぐ部位をヒンジとし、これらスリットで囲われる部位を弾性片とし、該弾性片の内側に上記ボトルの外周に当接する寸法吸収用の突起を突設し、前記筒部の上部には凹形スリットを形成し、該凹形スリットに囲われた内側の部位を前記ボトルの肩部に当接する押え片とし、該押え片の内側に押え用突起を突設したことを特徴とするボトルホルダ内蔵容器。
【発明の詳細な説明】
【０００１】
【発明の属する技術分野】
本発明は、香水、オーデコロンなどを収容する比較的小型のボトルを収納する容器において、特にボトルを安定的に容器内に収納保持するためのホルダを備えたボトルホルダ内蔵容器に関する。
【０００２】
【従来の技術】
香水、オーデコロンなどを収容した小形ボトルを外装容器に収納する場合、容器とボトル間にガタや遊びがあると持運びに際してボトルが動き易く、液漏れなどの原因となる。その逆に隙間無く収納した場合には、取出しにくく、扱いが不便なものとなる。
【０００３】
【発明が解決しようとする課題】
そこで、容器内にしっかりと収まるボトルホルダを介してボトルを収納するようにすればよい。この場合の条件としては、ボトルを単体で使用する際には、ボトルホルダから簡単に抜出し、逆に納めた状態では、ボトルホルダにしっかりと収納され、脱落しにくくすることである。
【０００４】
ところで、小形ボトルはガラス製ブロア成形体からなるボトル本体の上部にねじ込み式の合成樹脂製キャップを取付けたものであるため、ボトル本体は個々の製品で比較的寸法差が大きい。これに対して、ボトルホルダは、比較的寸法精度が安定した合成樹脂射出成形体からなっているため、両者のはめ合いがきつすぎたり、緩すぎたりする場合が生じ、前述する条件を十分に満たすことができない。
【０００５】
本発明は、かかる課題を解決するためになされたものであり、その目的は、ボトル本体の寸法差を吸収し、挿通状態ではしっかりと収納され、抜出しの際には指先などで簡単に引出すことができるボトルホルダを備えたボトルホルダ内蔵容器を提供するものである。
【０００６】
【課題を解決するための手段】
前記目的を達成するため、請求項１記載の本発明は、外装容器内に収装され、内部にボトルを挿抜自在に挿通保持したボトルホルダを備えたボトルホルダ内蔵容器において、上記ボトルホルダのボトル収納用筒部に複数のスリットを開口し、これらスリット間を繋ぐ部位をヒンジとし、これらスリットで囲われる部位を弾性片とし、該弾性片の内側に上記ボトルの外周に当接する寸法吸収用の突起を突設し、前記筒部の上部には凹形スリットを形成し、該凹形スリットに囲われた内側の部位を前記ボトルの肩部に当接する押え片とし、該押え片の内側に押え用突起を突設したことを特徴とする。
【０００７】
したがって、本発明では、ボトルを収納した状態では、弾性片が筒部外方に膨出し、その反発弾性によってボトル外周を保持し、ボトルの寸法差も吸収する。また、ボトルを収納した状態では肩部に突出した押え用突起により外力を加えない限り抜け止めされるため、保持能力がさらに向上する。
【０００８】
【発明の実施の形態】
以下、本発明の好ましい実施の形態につき、添付図面を参照して詳細に説明する。図１〜図３は、本発明の第一実施形態によるボトルホルダ内蔵容器を示している。図において、ボトルホルダ内蔵容器は、外装容器１０と、外装容器１０内に位置決め固定状態に収納されるボトルホルダ２０とからなっており、このボトルホルダ２０内にボトル３０を挿抜自在に嵌合している。
【０００９】
前記ボトル３０は、透明なガラス製ブロア成形体からなる有底円筒形のボトル本体３１と、ボトル本体３１の上部開口を液密に閉栓するネジキャップ３２と、ネジキャップ３２の上部に設けられた噴霧用の押しボタン３３、およびボトル本体３１内に挿通され、キャップ３２を通じて押しボタン３３に一体に接続された吸上げ用のチューブ３４とからなっていて、押しボタン３３の押圧操作により本体内に収納されている香水、オーデコロンなどの化粧液を吸上げ、押しボタン３３の外周に開口するノズル口３３ａより外部に向けて噴霧するものである。
【００１０】
前記外装容器１０は、合成樹脂射出成形体からなり、上部開口した縦長筒状の容器本体１１と、容器本体１１の上部開口を着脱可能に覆う蓋１２からなっている。蓋１２は樹脂弾性により本体１１の上部外周に装着され、閉蓋状態では容器本体１１の上部外周に形成された段部１１ａに当接する。ボトルホルダ２０は、合成樹脂射出成形体からなり、前記容器本体１１における開口部の最上部内側に形成された段部１１ｂに係止され、かつ中心にボトル挿通孔２１を開口した上部フランジ２２と、上部フランジ２２の下面に一体化され、前記容器本体１１の開口部の内側寸法とほぼ同様な寸法に形成された矩形状の容器嵌合部２３と、嵌合部２３の下部に一体化され、前記ボトル３０を嵌合保持する筒部２４とからなっている。
【００１１】
前記嵌合部２３の側面四周には係止爪２５が突設され、これに対向して容器本体１１の開口部壁面四周には係止凹部１４が形成され、したがって、ボトルホルダ２０を外装容器１０内に収納した状態では上部フランジ２２が容器本体１１の開口面に一致し、かつ係止爪２５が係止凹部１４に嵌合することで軽いクリック音を伴って位置決め固定される。前記筒部２４の外周部には、特に図１および図３（ｂ）に示すように、一対の縦スリット２４ａおよび縦スリット２４ａの上下位置に横スリット２４ｂが開口され、これら縦横のスリット２４ａ，２４ｂ間を接合する部位をヒンジとし、スリット２４ａ，２４ｂで囲われる部位を縦長状弾性片２６とし、この弾性片２６の内側にボトル本体３１の外周に当接する寸法吸収用の縦長状突起２７を突設している。以上の形状は筒部２４の中心を対称として二ヶ所に形成されている。
【００１２】
また、上部側横スリット２４ｂの上部であって、嵌合部２３の直下には凹形スリット２４ｃが形成され、これに囲われた内側の部位を前記ボトル３０の肩部押え片２８とし、その内側に断面略三角形状の押え用突起２９を突設している。これも筒部２４の中心を対称として二ヶ所に形成されている。
【００１３】
したがって、以上のボトルホルダ２０にボトル３０を挿通した状態では、特に図３（ａ）に示すように、ボトル本体３１の外周が突起２７、２９に摺接しこれを外方に押しのけながら挿通され、矢印に示すごとく、前記弾性片２６を外方に湾曲膨出させる。これによって適度な摩擦力によりボトル３０を筒部２４の内側に保持し、ボトル本体３１の寸法差を吸収する。また、挿通完了位置では、ボトル本体３１の上端とネジキャップ３２との間の肩部が肩部押え片２８に対向位置し、それまで外方に弾性拡開されていた押え片２８および押え用突起２９が弾性復帰してこの間に突出し、この突出動作によってボトル３０を筒部２４内に引込むような操作感を得るとともに、挿通完了状態では突起２９が抜け止めとして機能するため、指などの外力を加えてボトル３０を引抜かない限りは安定してボトルホルダ２０内に嵌合保持されることになる。
【００１４】
また、以上の実施形態では、弾性片２６および肩部押え片２８を筒部２４の前後二カ所に対称的に形成したが、三カ所程度周方向等間隔に形成することも出来、この場合には、よりフレキシビリティを増すことが出来る。
【００１５】
図４（ａ），（ｂ），（ｃ）は本発明の他の実施形態を示す。なお、前記実施形態と同一箇所には同一符号を援用してその説明を省略する。先ず、同図（ａ）においては、上下の横スリット２４ｄをそれぞれＴ字形に形成して弾性片２６のヒンジ点の隙間に入り、これによって縦スリット２４ａ間との接合部位におけるヒンジ点を増し、弾性片２６のフレキシビリティを増している。また（ｂ）においては、上下の横スリット２４ｅを縦スリット２４ａを囲うようにした凹字形に形成し、前記と同様に縦スリット２４ａ間との接合部位におけるヒンジ点を増し、弾性片２６のフレキシビリティを増している。
【００１６】
さらに（ｃ）においては、縦スリットのみによって構成した場合を示し、一対の縦スリット２４ｆを突起２７の形成位置で二分割状態に形成し、さらに縦スリット２４ｆの両脇に一つの縦スリット２４ｇを形成している。この実施形態では、突起２７の位置で二つの弾性片２６ａ，２６ｂとして上下二分割され、突起２７位置の弾性抵抗を増している。また、両脇スリット２４ｇにより、上下方向だけでなく周方向に対する伸縮性も付与できる。
【００１７】
【発明の効果】
以上の説明により明らかなように、本発明によるボトルホルダ内蔵容器にあっては、ボトル本体の寸法差を吸収し、ボトルは挿通状態ではしっかりと収納され、抜出しの際には指先などで簡単に引出すことができる。また、ボトルを収納した状態では肩部に突出した押え用突起により外力を加えない限り抜け止めされるため、保持能力がさらに向上する。
【図面の簡単な説明】
【図１】本発明によるボトルホルダ内蔵容器およびこれのボトルホルダ内に挿通されるボトルを示す分解斜視図である。
【図２】同ボトルホルダ内蔵容器の分解断面図である。
【図３】（ａ）はボトルホルダ内蔵容器内のボトルホルダにボトルを挿通保持した状態を示す断面図であり、（ｂ）はボトルホルダの正面図である。
【図４】（ａ），（ｂ），（ｃ）はボトルホルダの他の実施形態を示す正面図である。
【符号の説明】
１０  外装容器
２０  ボトルホルダ
２４  筒部
２４ａ，２４ｆ，２４ｇ  縦スリット
２４ｂ，２４ｄ，２５ｅ  横スリット
２４ｃ  凹形スリット
２６  縦長状弾性片
２７  突起
２８  肩部押え片
２９  突起
３０  ボトル
３１  ボトル本体
３２  ネジキャップ
【図１】
0003973396.tif 000002
【図２】
0003973396.tif 000003
【図３】
0003973396.tif 000004
【図４】
0003973396.tif 000005